(57)【要約】【課題】ユーザーの使用形態に応じて快適なデコード信号を提示可能なデジタル放送受信機を提供する。【解決手段】デジタル放送を受信するチューナー部及びこのチューナー部の信号を復調する復調部とを有するチューナーモジュールと、チューナーモジュールからの信号を映像処理する処理部及びこの処理部からの信号を表示する表示部とを有する汎用機器とを接続してデジタル放送を視聴可能とするデジタル放送受信機であって、表示部で提示される画面サイズが、設定されたサイズか或いはこれよりも大きい場合には汎用端末からチューナーモジュールに対し１３セグメント放送を受信するように制御し、表示部で提示される画面サイズが、設定されたサイズよりも小さい場合には汎用端末からチューナーモジュールに対し１セグメント放送を受信するように制御する。【選択図】      図１
2004289712.tif 000002
【特許請求の範囲】
【請求項１】
デジタル放送を受信するチューナー部及びこのチューナー部の信号を復調する復調部とを有するチューナーモジュールと、
前記チューナーモジュールからの信号を映像処理する処理部及びこの処理部からの信号を表示する表示部とを有する汎用機器とを接続して、１３セグメント放送及び１セグメント放送を放送するデジタル放送を視聴可能とするデジタル放送受信機であって、
前記表示部で表示される画面サイズが、設定されたサイズか或いはこれよりも大きい場合には前記汎用機器から前記チューナーモジュールに対し前記１３セグメント放送を受信するように制御し、前記表示部で表示される画面サイズが、設定されたサイズよりも小さい場合には前記汎用機器から前記チューナーモジュールに対し前記１セグメント放送を受信するように制御することを特徴とするデジタル放送受信機。
【請求項２】
チューナーモジュールからの信号を映像処理する処理部と、
前記処理部からの信号を表示する表示部と、
前記表示部で表示される画面サイズが、設定されたサイズか或いはこれよりも大きい場合は前記チューナーモジュールに対し１３セグメント放送のデジタル放送を受信するように通知信号を送信し、前記表示部で表示される画面サイズが、設定されたサイズよりも小さい場合は前記チューナーモジュールに対し１セグメント放送のデジタル放送を受信するように通知信号を送信する処理手段とを具備することを特徴とするデジタル放送受信機。
【請求項３】
前記予め設定されたサイズが、前記表示部のフル画面サイズであることを特徴とする請求項１或いは請求項２記載のデジタル放送受信機。
【請求項４】
デジタル放送を受信するチューナー部及びこのチューナー部の信号を復調する復調部とを有するチューナーモジュールと、
前記チューナーモジュールからの信号を映像処理する処理部及びこの処理部からの信号を表示する表示部とを有する汎用機器とを接続して、１３セグメント放送及び１セグメント放送を放送するデジタル放送を視聴可能とするデジタル放送受信機であって、
前記表示部で表示される画面サイズが、設定されたサイズよりも大きい場合には前記汎用機器から前記チューナーモジュールに対し前記１３セグメント放送を受信するように制御し、前記表示部で表示される画面サイズが、設定されたサイズか或いはこれよりも小さい場合には前記汎用機器から前記チューナーモジュールに対し前記１セグメント放送を受信するように制御することを特徴とするデジタル放送受信機。
【請求項５】
チューナーモジュールからの信号を映像処理する処理部と、
前記処理部からの信号を表示する表示部と、
前記表示部で表示される画面サイズが、設定されたサイズよりも大きい場合は前記チューナーモジュールに対し１３セグメント放送のデジタル放送を受信するように通知信号を送信し、前記表示部で表示される画面サイズが、設定されたサイズか或いはこれよりも小さい場合は前記チューナーモジュールに対し１セグメント放送のデジタル放送を受信するように通知信号を送信する処理手段とを具備することを特徴とするデジタル放送受信機。
【発明の詳細な説明】
【０００１】
【発明の属する技術分野】
本発明は、デジタル放送受信機に関する。
【０００２】
【従来の技術】
地上波デジタル放送は、主に据え置きＴＶ受信機向けの高データレート放送（以下１３セグメント放送）と主にモバイルＴＶ受信機向けの処理能力が制限されている機器には低データレート放送（以下１セグメント放送）が規格化されている。この地上波デジタル放送では、同じ放送用のコンテンツを据え置きＴＶ受信器向け及びモバイルＴＶ受信器向けに１３セグメント放送及び１セグメント放送の２つのデータレートで放送することが想定されている。
【０００３】
また、携帯性を重視した個人用の情報端末で一般にＰＤＡと呼ばれるパーソナルデジタルアシスタントや、パーソナルコンピュータ（以下ＰＣ）等の汎用機器を利用し、デジタル放送受信用のモジュールやデジタル放送受信用のカード等の後付機器を汎用機器に接続することにより、デジタル放送受信機として機能させることが提案されている。
【０００４】
例えば、特許文献１には、ＰＣに後付の受信ユニットを接続し、ＴＶを受信するシステムが開示されている。
【非特許文献１】
特開平１０−３９９７０号公報
【０００５】
【発明が解決しようとする課題】
上述したように、デジタル放送受信用のモジュールやカード等の後付機器を汎用機器に接続することにより、デジタル放送受信機として機能させるデジタル放送受信機では、デジタル放送受信用のモジュールやカード等の後付機器においてＴＶ受信の一部機能（例えば選局、復調など）を行い、映像音声のデコード処理を汎用機器で行っている。
【０００６】
上述したように、携帯性が優先される汎用機器では、一般に据え置きＴＶと比較して表示画面サイズが小さいこと、および処理能力が制限されるているために、デジタル放送を十分に映像音声にデコードする性能が得られないことから、１セグメント放送を受信するように想定されている。
【０００７】
一方で携帯性が優先される汎用機器においても、画面を全表示画面にフルサイズで表示して、据え置きＴＶ受信機並の視聴を行いたいとの要求も考えられる。さらに、この携帯用の汎用機器では、デジタル放送の表示を全表示画面の一部にし、残りの画面を利用して、別のアプリケーションを開いて処理を行いたいとの要求も考えられる。
【０００８】
携帯用の汎用機器について、これらの使用方法をしたい要求があるにもかかわらず一律に１セグメント放送のみを受信させるのではユーザーの嗜好にそぐわない。
そこで本発明は、ユーザーの使用形態に応じて快適なデコード信号を提示可能なデジタル放送受信機を提供することを目的とする。
【０００９】
【課題を解決するための手段】
上記目的を達成するために、本発明は、デジタル放送を受信するチューナー部及びこのチューナー部の信号を復調する復調部とを有するチューナーモジュールと、
前記チューナーモジュールからの信号を映像処理する処理部及びこの処理部からの信号を表示する表示部とを有する汎用機器とを接続して、１３セグメント放送及び１セグメント放送を放送するデジタル放送を視聴可能とするデジタル放送受信機であって、
【００１０】
前記表示部で表示される画面サイズが、設定されたサイズか或いはこれよりも大きい場合には前記汎用機器から前記チューナーモジュールに対し前記１３セグメント放送を受信するように制御し、前記表示部で表示される画面サイズが、設定されたサイズよりも小さい場合には前記汎用機器から前記チューナーモジュールに対し前記１セグメント放送を受信するように制御することを特徴とするデジタル放送受信機を提供する。
【００１１】
また、本発明は、チューナーモジュールからの信号を映像処理する処理部と、
前記処理部からの信号を表示する表示部と、
前記表示部で表示される画面サイズが、設定されたサイズか或いはこれよりも大きい場合は前記チューナーモジュールに対し１３セグメント放送のデジタル放送を受信するように通知信号を送信し、前記表示部で表示される画面サイズが、設定されたサイズよりも小さい場合は前記チューナーモジュールに対し１セグメント放送のデジタル放送を受信するように通知信号を送信する処理手段とを具備することを特徴とするデジタル放送受信機を提供する。
【００１２】
このとき、前記予め設定されたサイズが、前記表示部のフル画面サイズであることが好ましい。
また、本発明は、デジタル放送を受信するチューナー部及びこのチューナー部の信号を復調する復調部とを有するチューナーモジュールと、
前記チューナーモジュールからの信号を映像処理する処理部及びこの処理部からの信号を表示する表示部とを有する汎用機器とを接続して、１３セグメント放送及び１セグメント放送を放送するデジタル放送を視聴可能とするデジタル放送受信機であって、
【００１３】
前記表示部で表示される画面サイズが、設定されたサイズよりも大きい場合には前記汎用機器から前記チューナーモジュールに対し前記１３セグメント放送を受信するように制御し、前記表示部で表示される画面サイズが、設定されたサイズか或いはこれよりも小さい場合には前記汎用機器から前記チューナーモジュールに対し前記１セグメント放送を受信するように制御することを特徴とするデジタル放送受信機を提供する。
【００１４】
また、本発明は、チューナーモジュールからの信号を映像処理する処理部と、
前記処理部からの信号を表示する表示部と、
前記表示部で表示される画面サイズが、設定されたサイズよりも大きい場合は前記チューナーモジュールに対し１３セグメント放送のデジタル放送を受信するように通知信号を送信し、前記表示部で表示される画面サイズが、設定されたサイズか或いはこれよりも小さい場合は前記チューナーモジュールに対し１セグメント放送のデジタル放送を受信するように通知信号を送信する処理手段とを具備することを特徴とするデジタル放送受信機を提供する。
【００１５】
【発明の実施の形態】
以下、本発明の実施形態について図面を用いて詳細に説明する。なお、本発明は、以下の実施形態に限定されるものではない。
図１は、本発明の実施形態に係わるデジタル放送受信機の概念図である。
図１に示すように、デジタル放送受信機は、チューナーモジュール１をＰＤＡやＰＣといった汎用機器２に接続して使用する。
チューナーモジュール１は、アンテナ入力１３から入力されるデジタル放送を受信し選局するための選局手段及びこれを復調（ＯＦＤＭ等）するための復調手段及びエラー訂正手段１１と、ＭＵＬＴＩ２デスクランブル手段１２とを具備している。デジタル放送は、１３セグメント放送の高レートデジタル放送と、１セグメント放送の低レートデジタル放送が放送されている。
【００１６】
汎用機器２は、映像を表示するための表示部２１と本体２２とから構成されている。本体２２の内部には、チューナーモジュール１からの映像信号をＭＰＥＧデコードするＭＰＥＧデコーダ２３と視聴可否判定を行う視聴可否判定部２４とを具備している。
【００１７】
アンテナから入力されたデジタル放送波は選局復調エラー訂正部１１に入力され選局され、復調され、エラー訂正が行われる。これら処理が行われた信号はＭＵＬＴＩ２デスクランブル１２に入力され、有料放送や著作権保護のためのスクランブルを解くデスクランブル処理が行われる。このデスクランブル処理が行われた信号はチューナーモジュール１から汎用機器２の本体２２内部に有るＭＰＥＧデコーダ２３に入力される。
【００１８】
このＭＰＥＧデコーダ２３でＭＰＥＧデコードされた信号は、表示部２１に入力される。こうしてデジタル放送を視聴できる。
本実施形態において、選局復調エラー訂正部１１で選局、復調、エラー訂正を行う際には、ＰＣ等の汎用機器２からどのチャンネルを選局すべきかという指示が与えられるように接続されている。そして視聴者が望むチャンネルを選局復調エラー訂正部１１が選局し、復調、エラー訂正処理を行った後、デスクランブル部１２へ信号が伝送される。
【００１９】
デスクランブル部１２では、放送が有料放送や著作権保護のためのスクランブルが施されている場合に、デスクランブル処理をする。なおこの実施形態ではデスクランブル処理のためのスクランブル鍵は、汎用機器２に内蔵されている視聴可否判定手段２４から与えるように接続されている。このスクランブル鍵は、デジタル放送では、放送信号に多重されて伝送されるＥＣＭと呼ばれるデータ内に多重され、伝送されるものであり、汎用機器２内に入力されたＴＶ信号から視聴を希望する番組に関するＥＣＭを図示しない分離部で分離して視聴可否判定部２４に入力し、この視聴可否判定部２４でＥＣＭを使用して、視聴してよいかどうかの判定を行い、視聴可となった場合に、ＥＣＭ内からスクランブル鍵を取り出して、モジュール１内のデスクランブル部１２へ与えられるようになっている。
【００２０】
なお、視聴可否判定処理は、汎用機器２自体で行っても良いし、図示はしないが汎用機器２に接続して使用するＩＣカード等のモジュールで行っても良いものとする。また、視聴可否判定部２４をモジュール１内に持っても良い。
【００２１】
表示部２１は例えば液晶表示装置や有機ＥＬ表示装置等の携帯用に適した薄型の表示装置を用いている。また、汎用機器２の本体２２は、マイクロプロセッサを中心とするチップセットや、ＰＣカード、ＵＳＢ、キーボード等の汎用インターフェースなどで構成される。
【００２２】
チューナーモジュール１から入力した信号は、汎用機器２の本体２２でＭＰＥＧデコード処理され、得られた映像信号は表示部２１で表示されるほか、音声信号は図示しないスピーカから出力される。また、イヤホンジャックや音声出力端子から外部へ出力してもよい。
【００２３】
なお、ＭＰＥＧデコード処理は汎用機器２の本体２２のマイクロプロセッサを中心とするチップセットでソフト処理によりデコードする。
また、視聴者からのチャンネル選択は、図示しないキーボードを通じ、汎用機器２の本体２２に指示されるものとするが、本体２２にリモコン受信部を設けることにより、図示しないリモコンで指示してもよい。
【００２４】
次に、図２を用いて、以上のようなＰＣ等の汎用機器を利用した受信機において、表示部２１へＴＶ信号を表示する例を示す。
図２の左側の表示部に示すように、予め設定した所定の画面サイズかこれよりも大きい表示の場合（ここでは設定された画面サイズはフル画面サイズ）に１３セグメント放送の受信を行っている。
【００２５】
また、図２の右側の表示部に示すように、予め設定した所定の画面サイズ（ここでは設定された画面サイズはフル画面サイズ）よりも小さい場合に１セグメント放送の受信を行っている。
【００２６】
予め設定した所定の画面サイズとは、例えば、フル画面サイズであるものとし、フル画面サイズを表示する場合には、１３セグメント放送の受信を行い、それより小さいサイズの画面を表示する場合には、１セグメント放送の受信を行うように制御する。この制御を行うのは汎用機器２の本体２２に内蔵されているチップセットであり、このチップセットから制御信号がチューナーモジュール１内の選局手段１１に送られる。
【００２７】
汎用機器２はユーザーの設定や或いはデフォルトでこの表示画面サイズを任意に設定できるようにしている。上述したように、この設定サイズによって汎用機器２は、チューナーモジュール１に対して、１３セグメントの放送を受信するように指示し、或いは１セグメントの放送を受信するように指示している。
【００２８】
具体的には、視聴者からのキーボードやマウス等の入力装置を通じ、汎用機器２の本体２２に画面サイズの指定があった場合、汎用機器２の本体２２では指定のサイズの判定を行い、その指示がフル画面の場合には、１３セグメント放送の受信を行うようにモジュール１の選局、復調、エラー訂正部１１に指示を出し、それより小さい場合には、１セグメント放送の受信を行うようにモジュール１の選局、復調、エラー訂正部１１に指示を出すようにする。
【００２９】
このことにより、視聴者が小さい画面サイズを選択した場合、１セグメント放送の受信を行うことから、１３セグメント放送と比較してＭＰＥＧデコード処理に必要な汎用機器２のリソースが少なくてすむ。また、１３セグメント放送と比較して、汎用機器２とチューナーモジュール１間のデータ転送速度が低くてすむという効果がある。
【００３０】
以上のような効果で、表示画面が例えばフル画面の１／４にした場合は１セグメント放送を自動的に受信するようになり、汎用機器２としてデジタル放送受信アプリケーション以外の、別のアプリケーション等の処理リソースを確保することが可能である。すなわち、視聴者が小さい画面サイズを選択したということは、残りの画面において別のアプリケーション等の実行が想定され、このように汎用機器２に対しデジタル放送受信アプリケーションとして必要なリソースを少なくすることで、別のアプリケーション等の処理リソースを確保するということである。
【００３１】
一方、視聴者が大きい画面サイズ、例えばフル画面サイズを選択した場合１３セグメント放送を自動的に受信するようになり、視聴者はデジタル放送をきれいな画像で視聴することができる。すなわち、視聴者がフル画面サイズを選択することは、デジタル放送のみを享受しようとする意思の表れであり、この場合には汎用機器２の処理リソースをすべてデジタル放送受信アプリケーションに適用し、受信処理を行うことができる。
【００３２】
なお、上記説明では画面サイズの切り替え判断をフル画面サイズか否かで行っていたが、ユーザーが画面サイズと１セグメント放送と１３セグメント放送の切り替えサイズの関連付けをできるようにしても良い。すなわち、どの程度の画面サイズまで小さくしていくと、テレビ映像として１セグメント放送を表示しても１３セグメント放送を表示しても余り変わりがないか、という判断点は個人の嗜好に左右されるものであり、個人の嗜好に合わせて切り替えサイズを設定できるというものである。
【００３３】
また、汎用機器２の能力に応じて切り替えてもよい。すなわち、デジタル放送受信アプリケーション以外の、別のアプリケーション等の処理を視聴者が要求した場合に、その別アプリケーションの処理に適当なリソースを汎用機器２が判定し、その別アプリケーションの処理のためには１セグメント放送に切り替える必要があると判定した場合に、切り替えるものである。このようにすれば、デジタル放送受信を受信し続けながら、別のアプリケーション等の処理リソースを確保し、実行することも可能となる。
【００３４】
以上説明した実施形態では、デジタル放送のデコード処理を、汎用機器２の本体２２のマイクロプロセッサを中心とするチップセットでソフト処理によりデコードするという前提で説明していたが、デコード処理の一部を専用のＭＰＥＧデコード処理ＩＣで行ったり、デジタルシグナルプロセッサ（以下ＤＳＰ）で行ったりすることもあり得る。ＭＰＥＧデコード処理ＩＣやＤＳＰで処理する場合においても、汎用機器２とモジュール１間のデータ転送速度は切り替えることによって低下させることが可能であり、効果が見込まれる。
【００３５】
また、以上の説明では、表示する画面サイズが、設定したサイズかこのサイズよりも大きい場合に１３セグメント放送を受信するように制御し、設定したサイズよりも小さい場合に１セグメント放送を受信するように制御した例を説明したが、表示する画面サイズが、設定したサイズよりも大きい場合に１３セグメント放送を受信するように制御し、設定したサイズかこのサイズよりも小さい場合に１セグメント放送を受信するように制御するように構成してもよい。
【００３６】
また、以上説明した実施形態では、１３セグメント放送と１セグメント放送で、同じ放送コンテンツを放送するものとして説明した。現在の運用規格ではこの通りであると思われるが、今後の可能性として、１３セグメント放送と１セグメント放送で、異なる放送コンテンツを放送する場合もありうるのではないかと考えられる。
【００３７】
その場合に、１３セグメント放送と１セグメント放送で、同じ放送コンテンツを放送するのか、異なる放送コンテンツを放送するのかを示す情報を、放送信号に多重して伝送し、この情報を受信機で検知することができる汎用機器を利用したデジタル放送受信機を用いる。
【００３８】
こうすることで例えば１３セグメント放送と１セグメント放送で同じ放送コンテンツが伝送されていることを検知した場合には、上記実施形態で説明したように画面サイズに応じて、例えばフル画面の場合には、１３セグメント放送の受信を行い、それより小さい場合には、１セグメント放送の受信を行う処理を施す。
【００３９】
一方１３セグメント放送と１セグメント放送で異なる放送コンテンツが放送されていることを検知した場合には、画面サイズに応じて、例えばフル画面の場合には、１３セグメント放送の受信を行う。しかしながら設定されたサイズより小さい画面サイズを選択した場合において先ず１３セグメント表示を選択し、さらに別アプリケーションの処理を要求された場合に、要求された別アプリケーションの処理が可能かどうかを判断し、不可である場合に警告を行う処理をするように制御してもよい。
【００４０】
また、以上説明した実施形態では、ＭＵＬＴＩ２デスクランブル手段１２をチューナーモジュール１に持つこととして説明したが、ＭＵＬＴＩ２デスクランブル手段１２を汎用機器２内に持つ場合や、ＭＵＬＴＩ２デスクランブル手段１２を必要しないチャンネル専用の受信のみとした場合も同様な効果がえられる。
【００４１】
【発明の効果】
本発明は、ユーザーの使用形態に応じて快適なデコード信号を提示可能なデジタル放送受信機を提供することができる。
【図面の簡単な説明】
【図１】本発明の実施形態に係わるデジタル放送受信機の概念図。
【図２】本発明の実施形態に係わるデジタル放送受信機の表示画面を示した図。
【符号の説明】
１・・・チューナーモジュール
２・・・汎用機器
１１・・・選局復調エラー訂正部
１２・・・ＵＬＴＩ２デスクランブル部
１３・・・アンテナ入力
２１・・・表示部
２２・・・本体
２３・・・ＭＰＥＧデコーダ
２４・・・視聴可否判定部
【図１】
2004289712.tif 000003
【図２】
2004289712.tif 000004